【手続補正書】
【提出日】平成15年8月6日(2003.8.6)
【手続補正１】
【補正対象書類名】明細書
【補正対象項目名】特許請求の範囲
【補正方法】変更
【補正の内容】
【特許請求の範囲】
【請求項１】
第１および第２のエネルギ入力と、第１および第２の各エネルギコンバータと、エネルギ蓄積装置と、エネルギシンクと、およびパワー配分管理装置とを含んでいるハイブリッドパワーシステムおいて、
パワーシステムの動作はその動作パラメータの関数である関連付けられた全費用を有し、パワー配分管理装置が最適な全体の費用レベルを使用してパワー配分を制御するハイブリッドパワーシステム。
【請求項２】
パラメータには、エネルギ入力消費量、エネルギシンク放出量、エネルギ蓄積装置における記憶レベル、振動、雑音、環境の過酷さ、パワー配分費用、よびパワーシステム上の負荷の１以上が含まれる請求項１記載のシステム。
【請求項３】
エネルギ入力には再充電可能な電池、水力、空気式または原子力のような化学的、機械的または電気的エネルギ源の１以上が含まれる請求項１または２記載のシステム。
【請求項４】
エネルギコンバータはエンジンまたは燃料電池の少なくとも一方を含んでいる請求項１乃至３のいずれか１項記載のシステム。
【請求項５】
エネルギ蓄積装置は、再充電可能な電池等の電池、キャパシタ、熱貯蔵装置またはフライホイールの１以上を含んでいる請求項１乃至４のいずれか１項記載のシステム。
【請求項６】
車両推進システムを含んでいる請求項１乃至５のいずれか１項記載のシステム。
【請求項７】
エネルギシンクには、車両駆動負荷、電気的負荷、空調装置負荷、電気的パワーステアリング負荷またはディーゼル粒子トラップ再生負荷の１以上が含まれる請求項６記載のシステム。
【請求項８】
エネルギ貯蔵装置は前記エネルギコンバータの１つにより再充電可能である請求項１乃至７のいずれか１項記載のシステム。
【請求項９】
動作パラメータには、エネルギ貯蔵装置を再充電する費用が含まれている請求項８記載のシステム。
【請求項１０】
動作パラメータにはさらに環境的要因の１以上が含まれている請求項１乃至９のいずれか１項記載のシステム。
【請求項１１】
全体の費用はさらに、予測または導出される将来的な動作パラメータの関数である請求項１乃至１０のいずれか１項記載のシステム。
【請求項１２】
全体の費用は複数の動作パラメータの関数である請求項１乃至１１のいずれか１項記載のシステム。
【請求項１３】
請求項１乃至１２のいずれか１項記載のハイブリッドパワーシステム用のパワー配分管理装置。
【請求項１４】
請求項１乃至１２のいずれか１項記載のハイブリッドパワーシステムにおいてパワー配分を管理する方法において、
パワー配分方式の全体の費用をパワーシステムの動作パラメータの関数として評価し、最適な全体の費用レベルでパワー配分方式を選択するステップを含んでいる方法。
【請求項１５】
パワー配分方式に関連した全体の費用を導出し、その導出された費用を全費用限界と比較するステップを含んでいる請求項１４記載の方法。
【請求項１６】
費用限界は予め定められている請求項１５記載の方法。
【請求項１７】
費用限界は瞬間的に導出される請求項１５記載の方法。
【請求項１８】
異なったタイプの第１および第２のパワー装置を有し、前記装置の少なくとも一方が他方の装置により再充電可能であり、燃料消費量、排気ガス、振動、雑音、環境の過酷さ、負荷、機械的耐久性、システム耐久性または電池耐久性の少なくとも１つを表す１以上の制御値に応じて前記再充電可能なパワー装置の動作および再充電を制御するハイブリッドパワーソース用の制御システム。
【請求項１９】
制御値は瞬時パワーソース状態に基づいて導出される請求項１８記載の制御システム。
【請求項２０】
制御値が利益限界を超えた場合に前記再充電可能なパワー装置の動作を制御する請求項１８または１９記載の制御システム。
【請求項２１】
制御値が費用限界より低い場合には前記再充電可能なパワー装置の再充電を制御する請求項１８乃至２０のいずれか１項記載の制御システム。
【請求項２２】
利益限界は費用限界の関数である請求項２０または２１記載の制御システム。
【請求項２３】
制御値は、予め定められたまたは適応された利益または費用限界と比較される請求項１８または１９記載の制御システム。
【請求項２４】
制御システムは瞬時的な外部および、または内部データを受取り、前記外部および、または内部データに基づいて決定された利益限界または費用限界に対して制御値が比較される請求項１８または１９記載の制御システム。
【請求項２５】
費用限界は、前記外部および、または内部データから導出された予測される将来的なパワーソース負荷に基づいている請求項２４記載の制御システム。
【請求項２６】
前記再充電可能な装置は電気的マシンを含み、前記他方のパワー装置は内燃機関を含んでいる請求項１８乃至２５のいずれか１項記載の制御システム。
【請求項２７】
異なったタイプの第１および第２のパワー装置を有し、前記装置の少なくとも一方が前記他方の装置により再充電可能であるハイブリッドパワーソースを制御する方法において、
燃料消費量、排気ガス、振動、雑音、環境の過酷さ、またはハイブリッドパワーソースによる負荷の１以上のものに対して純利益が動作により得られる場合、前記再充電可能なパワー装置を動作し、燃料消費量、排気ガス、振動、雑音、環境の過酷さまたは負荷の１以上のものと比較された費用限界まで再充電が行われた場合には前記再充電可能なパワー装置を再充電するステップを含んでいる方法。
【請求項２８】
再充電可能なパワー装置を動作することに関連した利益レベルを導出し、純利益が得られるか否かを評価するために利益レベルを利益限界と比較するステップを含んでいる請求項２７記載の方法。
【請求項２９】
前記再充電可能なパワー装置を再充電するために費用レベルを導出し、再充電費用が許容可能か否かを評価するために前記費用レベルを費用限界と比較するステップを含んでいる請求項２７または２８記載の方法。
【請求項３０】
利益限界および、または費用限界は予め定められている請求項２７乃至２９のいずれか１項記載の方法。
【請求項３１】
費用限界および、または利益限界は瞬時的に導出される請求項２７乃至３０のいずれか１項記載の方法。
【請求項３２】
制御システムがデータ記憶装置を含み、ハイブリッドパワーソースが異なったタイプの第１および第２のパワー装置を含み、前記装置の少なくとも一方が前記他方の装置により再充電可能であり、パワーソースは変化するパワーソース負荷の下で複数のサイクルを通じて給電され、制御パラメータである燃料消費量、排気ガス、振動、雑音、環境の過酷さまたは負荷の１以上のものが各パワーソース負荷に対して記録され、前記データ記憶装置中に記憶され、再充電可能な装置の動作利益および再充電費用は記録された制御パラメータの関数として各パワーソース負荷に対して導出され、前記データ記憶装置中に記憶されるハイブリッドパワーソース用の制御システムの較正方法。
【請求項３３】
前記費用の較正には、複数の再充電速度のそれぞれに対する複数のサイクルを通じてパワーソースに給電するステップが含まれている請求項３２項記載のシステム。
【請求項３４】
請求項１乃至９のいずれか１項記載のハイブリッドパワーシステムにおいてパワー配分管理を行うプログラムを記憶し、請求項１８乃至２６のいずれか１項記載の制御システムまたは請求項１４乃至１７または２７乃至３３のいずれか１項記載の方法を行うコンピュータ読出し可能な媒体。
【請求項３５】
請求項１乃至９のいずれか１項記載のハイブリッドパワーシステムに対するパワー分配管理を行うための命令を実行し、請求項１８乃至２６のいずれか１項記載の制御システムまたは請求項１４乃至１７または２７乃至３３のいずれか１項記載の方法を実行するように構成されたプロセッサ。
【請求項３６】
第１および第２の異なったタイプのパワー装置を含み、前記装置の少なくとも一方が前記他方の装置によって再充電可能であり、請求項１８乃至２６のいずれか１項記載の制御システムを備えているハイブリッドパワーソース。
【請求項３７】
請求項３６記載のハイブリッドパワーソースを含んでいる車両。
【請求項３８】
実質的に明細書に記載され、図面に示されているハイブリッドパワーシステム、制御システム、車両またはハイブリッドパワーソース。